(57)【要約】【課題】導体の電線の何れかと制御回路との導通経路に接続不良が生じても液体の残量検知を継続できる機能の液体検知装置を提供する。【解決手段】塗布装置の塗布部に具備される液面センサに適用される液体検知装置は、液面センサの電極ピン２０７ａ〜２０７ｄに対し、それぞれ２系統で並列接続された電線ａ‐１〜ａ‐２、ｂ‐１〜ｂ‐２、ｃ‐１〜ｃ‐２、ｄ‐１〜ｄ‐２をドロワコネクタ２５１を介して制御回路２５０に接続して構成される。ピン２０７ａ〜２０７ｃは電圧印加により電流供給される第１の導体、ピン２０７ｄはグランドに接続される第２の導体である。このため、制御回路２５０における残量検知部２５０ａの液体の残量検知時に電線ａ‐１〜ａ‐２、ｂ‐１〜ｂ‐２、ｃ‐１〜ｃ‐２の‐１側又は‐２側でドロワコネクタ２５１の接触不良や断線により一方が導通断の状態になっても、片方に導通があれば液面センサの使用上の支障が回避される。【選択図】図４
2019100972.tif 000002
【特許請求の範囲】
【請求項１】
残量に応じて液面が移動する液体と接触可能であると共に、電圧印加により電流供給される複数の第１の導体と、
前記複数の第１の導体と前記液体を介して導通可能であると共に、グランドに接続される第２の導体と、
前記複数の第１の導体及び前記第２の導体に接続されると共に、当該複数の第１の導体の少なくとも１つから当該第２の導体へ流れる電流に基づいて前記液体の残量を検知する制御回路と、を備え、
前記複数の第１の導体及び前記第２の導体は、それぞれ複数の電線で前記制御回路に並列接続されたことを特徴とする液体検知装置。
【請求項２】
請求項１記載の液体検知装置において、
前記制御回路は、前記複数の電線のうち、前記複数の第１の導体に接続される電線の対又は異なる対の組み合わせで導通結果を確認することで不良箇所の検知を行うことを特徴とする液体検知装置。
【請求項３】
請求項１記載の液体検知装置において、
前記複数の第１の導体及び前記第２の導体は、それぞれ３本以上の電線で前記制御回路に並列接続され、
前記制御回路は、前記３本以上の電線のうち、前記複数の第１の導体に接続される電線の異なる対の組み合わせで導通結果を確認することで不良箇所の検知を行うことを特徴とする液体検知装置。
【請求項４】
請求項２又は３記載の液体検知装置において、
前記制御回路は、前記液体の残量を検知する残量検知部と、前記不良箇所を検知する不良箇所検知部と、を備えたことを特徴とする液体検知装置。
【請求項５】
請求項４記載の液体検知装置を備えたことを特徴とする画像形成装置。
【請求項６】
残量に応じて液面が移動する液体と接触可能であると共に、電圧印加により電流供給される複数の第１の導体と、
前記複数の第１の導体と前記液体を介して導通可能であると共に、グランドに接続された第２の導体と、
前記複数の第１の導体及び前記第２の導体にそれぞれ複数の電線で並列接続されると共に、当該複数の第１の導体の少なくとも１つから当該第２の導体へ流れる電流に基づいて前記液体の残量を検知する制御回路と、を備えた液体検知装置で適用される液体検知方法であって、
前記制御回路に備えられた残量検知部が前記複数の第１の導体の少なくとも１つから前記第２の導体へ流れる電流値から前記液体の残量の検知を行う残量検知ステップと、
前記制御回路に備えられた不良箇所検知部が前記複数の電線のうち、前記複数の第１の導体に接続される電線の対又は異なる対の組み合わせで導通結果を確認することで不良箇所の検知を行う不良箇所検知ステップと、を有することを特徴とする液体検知方法。
【請求項７】
残量に応じて液面が移動する液体と接触可能であると共に、電圧印加により電流供給される複数の第１の導体と、
前記複数の第１の導体と前記液体を介して導通可能であると共に、グランドに接続された第２の導体と、
前記複数の第１の導体及び前記第２の導体にそれぞれ複数の電線で並列接続されると共に、当該複数の第１の導体の少なくとも何れか１つから当該第２の導体へ流れる電流に基づいて前記液体の残量を検知する制御回路と、を備えた液体検知装置で当該制御回路に搭載されるコンピュータの機能により実行される液体検知用プログラムであって、
前記制御回路に備えられた残量検知部が前記複数の第１の導体の少なくとも何れか１つから前記第２の導体へ流れる電流値から前記液体の残量の検知を行う残量検知ステップを実行し、
前記制御回路に備えられた不良箇所検知部が前記複数の電線のうち、前記複数の第１の導体に接続される電線の対又は異なる対の組み合わせで導通結果を確認することで不良箇所の検知を行う不良箇所検知ステップを実行するための液体検知用プログラム。
【発明の詳細な説明】
【技術分野】
【０００１】
本発明は、液体検知装置、それを備えた画像形成装置、液体検知方法、及び液体検知用プログラムに関する。
【背景技術】
【０００２】
従来、容器に収容された液体の残量を複数の導体（例えば電極ピン）を用いて検知する手法が知られている。その一例として、容器に収容された液体の残量を検知するセンサの誤検知を軽減する「液体検知装置及び液体塗布装置」（特許文献１）が挙げられる。
【０００３】
この液体検知装置は、容器に収容された液体の残量を検知するため、電圧印加により電流供給される一方の導体とグランドに接続される他方の導体とがそれぞれ電線で制御回路に接続されて液面検知センサとして構成される。この液面検知センサの場合、液面が移動する液体との接触の有無を検知する各導体が２０ｍｍ以上の間隔で容器の内壁から鉛直方向に沿って配列され、電圧印加して液体中のイオンにより電荷の授受が行われるようにする。この結果、電荷に応じた電流出力が制御回路へ入力され、これによって制御回路で液面を検知することができる。
【発明の概要】
【発明が解決しようとする課題】
【０００４】
上述した特許文献１に係る液体検知装置では、電圧印加により電流供給される一方の導体とグランド接続される他方の導体とが液体中のイオンにより電荷授受される結果の電荷に応じた出力が制御回路へ入力される機能構成となっている。
【０００５】
ところが、こうした機能構成であれば、各導体と制御回路とを繋ぐ電線がそれぞれ１系統であるため、導体の電線の何れかと制御回路との信号経路に接続不良が生じた場合には液体の残量検知が困難になってしまうという問題がある。
【０００６】
本発明は、このような問題点を解決すべくなされたもので、その技術的課題は、導体の電線の何れかと制御回路との導通経路に接続不良が生じても液体の残量検知を継続できる機能を提供することにある。
【課題を解決するための手段】
【０００７】
上記技術的課題を解決するため、本発明の一態様は、残量に応じて液面が移動する液体と接触可能であると共に、電圧印加により電流供給される複数の第１の導体と、複数の第１の導体と液体を介して導通可能であると共に、グランドラインに接続された第２の導体と、複数の第１の導体及び第２の導体に接続されると共に、当該複数の第１の導体の少なくとも１つから当該第２の導体へ流れる電流に基づいて液体の残量を検知する制御回路と、を備え、複数の第１の導体及び第２の導体は、それぞれ複数の電線で制御回路に並列接続された液体検知装置であることを特徴とする。
【発明の効果】
【０００８】
本発明によれば、上記構成により、導体の電線の何れかと制御回路との導通経路に接続不良が生じても液体の残量検知を継続できる機能が提供される。上記した以外の課題、構成及び効果は、以下の実施の形態の説明により明らかにされる。
【図面の簡単な説明】
【０００９】
【図１】本発明の液体検知装置が適用される画像形成装置の一例であるインクジェットプリンタシステムを示す概略構成図である。
【図２】図１に示すインクジェットプリンタシステムに備えられる塗布装置を前面側斜め上方から示した外観斜視図である。
【図３】図２に示す塗布装置における塗布部及びその周辺構成を示す図である。
【図４】図３に示す塗布部の液面センサに適用される実施例１に係る液体検知装置の概略構成を示す図であり、（ａ）は回路接続構成を示す図、（ｂ）は（ａ）の回路接続構成の要部となる制御回路の機能ブロック図である。
【図５】図３に示す塗布部の液面センサに適用される実施例２に係る液体検知装置の概略構成を示す図であり、（ａ）は回路接続構成を示す図、（ｂ）は（ａ）の回路接続構成の要部となる制御回路の機能ブロック図である。
【発明を実施するための形態】
【００１０】
以下、本発明の液体検知装置、それを備えた画像形成装置、液体検知方法、及び液体検知用プログラムについて、図面を参照して詳細に説明する。
【００１１】
図１は、本発明の液体検知装置が適用される画像形成装置の一例であるインクジェットプリンタシステムを示す概略構成図である。
【００１２】
図１を参照すれば、このインクジェットプリンタシステムは、アンワインダーＵＷ、塗布装置Ｃ、インクジェットプリンタＰ、外部乾燥装置ＥＸＤ、及びリワインダーＲＷを備えて構成される。このインクジェットプリンタシステムにおける印刷の一連の流れを説明すれば、まずアンワインダーＵＷからロール状に巻かれた長尺に連続した記録媒体Ｗが送り出され、塗布装置Ｃで記録媒体Ｗに対して液剤等の液体を塗布して前処理を行う。その後、塗布装置Ｃから送り出された記録媒体Ｗに対してインクジェットプリンタＰで文字や画像を印刷して外部乾燥装置ＥＸＤへ送り込む。外部乾燥装置ＥＸＤでは、インクジェットプリンタＰにより印刷された記録媒体Ｗに対して加熱処理・冷却処理の各工程を施してから記録媒体ＷをリワインダーＲＷへ送り出す。更に、リワインダーＲＷでは外部乾燥装置ＥＸＤから送り込まれ記録媒体Ｗに対して巻き取りを行う。これにより、一連の印刷処理の流れが終了する。
【００１３】
図２は、上述したインクジェットプリンタシステムに備えられる塗布装置Ｃを前面側斜め上方から示した外観斜視図である。
【００１４】
図２を参照すれば、この塗布装置Ｃは、外観上の構成として、側面部の一方に記録媒体Ｗの搬入口を有し、搬入口と反対側面部に搬出口を有する。搬入口から内部に送り込まれた記録媒体Ｗは、前処理液である凝集液が塗布されて印刷用の前処理が施される。前処理が終了した記録媒体Ｗは、搬出口から送り出されてインクジェットプリンタＰに送り込まれる。塗布装置Ｃは、以上の構成に加えて、その内部に凝集液を塗布する塗布部内に具備される液面センサに制御回路が接続された構成の液体検知装置が適用される。
【００１５】
図３は、上述した塗布装置Ｃにおける塗布部２００及びその周辺構成を示す図である。この塗布装置Ｃは、記録媒体Ｗの搬送経路で対象物である記録媒体Ｗに凝集液の一例としてビーディング抑制剤を塗布する塗布部２００、塗布部２００にビーディング抑制剤を供給する供給部であるリザーバータンク２２４、並びにカートリッジ２２９、２３８等を含む。
【００１６】
このうち、塗布部２００は、ビーディング抑制剤を塗布する円筒状の塗布ローラ２０１、ビーディング抑制剤を薄膜化して塗布ローラ２０１に転写するスクイーズローラ２０２、及び塗布ローラ２０１との間で記録媒体Ｗを挟み込む加圧ローラ２０３を具備する。また、スクイーズローラ２０２は、ビーディング抑制剤を溜めておく液体収容容器である供給パン２０４内でビーディング抑制剤に浸されている。供給パン２０４には液面センサ２０６が設置されている。供給パン２０４に溜められているビーディング抑制剤の量は、液面センサ２０６によって、その液面高さが制御されている。これによって、スクイーズローラ２０２から記録媒体Ｗへのビーディング抑制剤の塗布量が一定になるように制御される。尚、液面センサ２０６内のビーディング抑制剤の液面が傾いているのは容器の内部形状のためである。
【００１７】
液面センサ２０６は、複数の導体である電極ピン２０７ａ〜２０７ｄから構成される。このうち、電極ピン２０７ａ〜２０７ｃは電圧印加により電流供給され、電極ピン２０７ｄはグランドに接続される。こうした場合、電極ピン２０７ａ〜２０７ｃは残量に応じて液面が移動する液体と接触可能な第１の導体、電極ピン２０７ｄは電極ピン２０７ａ〜２０７ｃと液体を介して導通可能な第２の導体と呼ばれても良い。
【００１８】
液面センサ２０６では、電極ピン２０７ａ〜２０７ｃに電圧印加した際にこれらの電極ピン２０７ａ〜２０７ｃに相当する位置にビーディング抑制剤があった場合、その電極ピン２０７ａ〜２０７ｃは電極ピン２０７ｄと導通状態になる。即ち、ビーディング抑制剤の位置に対応して、ビーディング抑制剤中のイオンにより電荷の授受が行われて、電極ピン２０７ａ〜２０７ｃと電極ピン２０７ｄとが電気的に接続される。電極ピン２０７ａ〜２０７ｃと電極ピン２０７ｄとが電気的に接続されると、電極ピン２０７ａ〜２０７ｃに電流が流れるため、その電流値に基づいて制御回路によって供給パン２０４内のビーディング抑制剤の残量を検知することができる。即ち、液面センサ２０６は、電極ピン２０７ａ〜２０７ｄと制御回路との間をそれぞれ電線で接続した構成とすれば、液体収容容器に収容されている液体の残量を検知する液体検知装置として機能する。
【００１９】
因みに、液体検知装置の構成として、液面センサ２０６の電極ピン２０７ａ〜２０７ｄと制御回路との間をそれぞれ汎用的に１系統の電線で接続した構成とした場合、何れか１つの電線に接続不良があると適確に液体の残量を検知できなくなってしまう。そこで、本発明に係る液体検知装置では、電極ピン２０７ａ〜２０７ｄと制御回路との間をそれぞれ２系統以上の電線で接続した構成を採用する。尚、図３に示した液面センサ２０６では、４本の電極ピン２０７ａ〜２０７ｄで構成される場合を例示したが、それ以外の本数の構成であっても良いので、開示したものに限定されない。
【００２０】
供給パン２０４は、塗布ローラ２０１を覆うように形成されており、供給パン２０４内にあるビーディング抑制剤の蒸発を抑える。但し、塗布ローラ２０１と加圧ローラ２０３との圧接部は開口しておく必要があり、完全な密閉系とはなっていない。このため、供給部に略密閉系のリザーバータンク２２４が設けられている。リザーバータンク２２４と供給パン２０４とを連通する退避経路２２５に設けられている電磁弁２２６が開放されると、水頭差により供給パン２０４のビーディング抑制剤が退避経路２２５を通ってリザーバータンク２２４へ移送される。このような構成により、ビーディング抑制剤の粘度の上昇を抑えることができる。
【００２１】
電磁弁２２６が電力供給されずに開放されるタイミングは、例えば記録媒体Ｗの架け替え、印刷パターンの変更といった通常の印刷ジョブ間の作業時間より長い時間（例えば１時間以上）印刷処理が停止された場合を例示できる。何れにしても、供給パン２０４にビーディング抑制剤を充填する待ち時間が印刷停止毎に発生しないようになっている。また、電磁弁２２６は電力供給されていない場合に開放されるため、塗布装置Ｃの電源が遮断された場合は供給パン２０４に入れられているビーディング抑制剤がリザーバータンク２２４へ移送される。このような構成により、ビーディング抑制剤が供給パン２０４内に長時間入れられたままになることを防止している。
【００２２】
ところで、リザーバータンク２２４においても、ビーディング抑制剤が長時間（例えば数十日以上）使用されていない場合は、ビーディング抑制剤の粘度が上昇してしまう。そこで、リザーバータンク２２４においてビーディング抑制剤が一定時間以上使用されていない場合、廃液ポンプ２２２によりリザーバータンク２２４内のビーディング抑制剤が廃液タンク２２１に廃液される。これにより、ビーディング抑制剤の鮮度が保たれる。
【００２３】
また、退避経路２２５からフィルタ２２７に連通する循環経路２２８が分岐している。この循環経路２２８において、フィルタ２２７の上流側に電磁弁２３２が設けられ、下流側に三方弁２３３が設けられている。フィルタ２２７は、供給パン２０４内に滞留する紙粉等を除去し、ビーディング抑制剤が糊状になることを防止する。尚、供給パン２０４内に滞留する紙粉等は、記録媒体Ｗを塗布ローラ２０１及び加圧ローラ２０３により滑らせて動かすこと（摺動）により発生する。
【００２４】
ビーディング抑制剤を塗布している際、適宜電磁弁２３２が開放されると、供給パン２０４内のビーディング抑制剤の一部が退避経路２２５及び循環経路２２８を通ってフィルタ２２７に通される。これにより、ビーディング抑制剤に含まれる紙粉類が除去される。そして、三方弁２３３がフィルタ２２７と供給パン２０４とが連通する状態にされて供給ポンプ２３０が駆動すると、フィルタ２２７により紙粉類が除去されたビーディング抑制剤が供給ポンプ２３０により供給パン２０４へと供給される。
【００２５】
供給パン２０４へのビーディング抑制剤の供給は、供給部であるリザーバータンク２２４又はカートリッジ２２９、２３８から行われる。リザーバータンク２２４にはリザーバータンク２２４内のビーディング抑制剤の残量を検知する残量検知センサ２１０が設けられている。
【００２６】
残量検知センサ２１０によりリザーバータンク２２４内にビーディング抑制剤の残量が予め定められた量以上であると検知された場合、電磁弁２３６が開放される。電磁弁２３６が開放されると、リザーバータンク２２４に入れられているビーディング抑制剤がリザーバータンク２２４とフィルタ２２７とを連通する循環供給経路２３５からフィルタ２２７に通される。そして、三方弁２３３がフィルタ２２７と供給パン２０４とが連通する状態にされて供給ポンプ２３０が駆動すると、フィルタ２２７に通されたビーディング抑制剤が供給ポンプ２３０により供給パン２０４へと供給される。
【００２７】
これに対し、残量検知センサ２１０によりリザーバータンク２２４にビーディング抑制剤の残量が予め定められた量未満であると検知された場合、カートリッジ２２９、２３８の何れかから供給が行われる。例えばカートリッジ２２９から供給が行われる場合、電磁弁２３４が開放され、三方弁２３３がカートリッジ２２９と供給パン２０４とが連通する状態にされて供給ポンプ２３０が駆動する。そして、カートリッジ２２９に入れられているビーディング抑制剤が経路２３１を通って供給ポンプ２３０により供給パン２０４へと供給される。また、カートリッジ２３８から供給が行われる場合、電磁弁２３７が開放され、三方弁２３３がカートリッジ２３８と供給パン２０４とが連通する状態にされて供給ポンプ２３０が駆動する。そして、カートリッジ２３８に入れられているビーディング抑制剤が経路２３１を通って供給ポンプ２３０により供給パン２０４へと供給される。
【００２８】
ところで、経路２３１上にはカートリッジ２２９、２３８内のビーディング抑制剤の有無を検知するＥＭＰＴＹセンサ２２３が設けられている。例えばカートリッジ２２９内のビーディング抑制剤がないと検知された場合、カートリッジ２３８からの供給に制御が切り替えられる。これにより、電磁弁２３７が開放され、カートリッジ２３８に入れられているビーディング抑制剤が経路２３１を通って供給ポンプ２３０により供給パン２０４へと供給される。その間に、ビーディング抑制剤がないと検知されたカートリッジ２２９は、新しいカートリッジに交換される。
【００２９】
このように、複数のカートリッジ２２９、２３８を装着可能な構成とすることにより、塗布装置Ｃの稼働を停止させることなく、カートリッジ２２９、２３８の空になった方を交換することが可能になる。尚、図３では２つのカートリッジ２２９、２３８が装着されている場合を例示したが、これはあくまでも一例であり、３つ以上装着するようにしても良い。
【００３０】
因みに、図３に示す塗布装置Ｃは、記録媒体Ｗに対して前処理液としてビーディング抑制剤を塗布する場合を例示したが、塗布及び搬送が可能な被塗布物であれば記録媒体Ｗ以外にも適用可能であり、液体についても種々変更することが可能である。被塗布物として、液体が付着可能なものとは、液体が少なくとも一時的に付着可能なものであって、付着して固着するもの、付着して浸透するもの等を意味する。具体例としては、用紙、記録紙、記録用紙、フィルム、布等の被記録媒体、電子基板、圧電素子等の電子部品、紛体層（粉末層）、臓器モデル、検査用セル等の媒体であり、特に限定しない限り液体が付着する全てのものが含まれる。液体が付着する材質は、紙、糸、繊維、布帛、皮革、金属、プラスチック、ガラス、木材、セラミックス等が挙げられる。
【００３１】
また、液体は電圧印加で液体中のイオンにより電荷の授受が行われることが必要な前提となる。また、上記材質に塗布可能な粘度や表面張力を有するものであれば良く、特に限定されないが、常温・常圧下において、或いは加熱・冷却により粘度が３０ｍＰａ・ｓ以下となるものが好ましい。より具体的には、水や有機溶媒等の溶媒、染料や顔料等の着色剤、重合性化合物、樹脂、界面活性剤等の機能性付与材料、ＤＮＡ、アミノ酸や蛋白質、カルシウム等の生体適合材料、天然色素等の可食材料等を含む溶液、懸濁液、エマルジョン等が挙げられる。インクの汎用例は水性インキ、ＵＶインキ、ノンＶＯＣインキ、植物油インキ、大豆油インキ、グリコールインキ、ノントルエンインキ、ＥＢインキ等の印刷インキ、顔料インク、染料インク、消えないインク、金属インク、不可視インク、蛍光インク等が挙げられる。その他、近年開発された低臭気型インクジェットインクやＵＶ硬化型プレコート液等を適用することも可能である。これらは、例えばインクジェット用インク、表面処理液、電子素子や発光素子の構成要素や電子回路レジストパターンの形成用液、３次元造形用材料液等の用途で用いることができる。
【００３２】
以下は、塗布部２００に具備される液面センサ２０６に適用される液体検知装置について、液体の種別を問わないものとして、具体的な実施例を幾つか挙げて説明する。尚、図３に示されるように、液体検知装置３００は、基本構成上、電極ピン２０７ａ〜２０７ｄを有する液面センサ２０６と制御回路２５０とから構成される。
【実施例１】
【００３３】
図４は、実施例１に係る液体検知装置の概略構成を示す図であり、同図（ａ）は回路接続構成を示す図、同図（ｂ）は同図（ａ）は回路接続構成の要部となる制御回路２５０の機能ブロック図である。図４（ａ）を参照すれば、この液体検知装置は、液面センサ２０６の電極ピン２０７ａ〜２０７ｄに対し、それぞれ２系統で並列接続された電線ａ‐１〜ａ‐２、ｂ‐１〜ｂ‐２、ｃ‐１〜ｃ‐２、ｄ‐１〜ｄ‐２をドロワコネクタ２５１を介して制御回路２５０に接続して構成される。換言すれば、制御回路２５０の基板ハーネスに接続されたそれぞれ２系統の電線ａ‐１〜ａ‐２、ｂ‐１〜ｂ‐２、ｃ‐１〜ｃ‐２、ｄ‐１〜ｄ‐２がドロワコネクタ２５１を通過して電極ピン２０７ａ〜２０７ｄに並列接続されている。
【００３４】
ここでも電極ピン２０７ａ〜２０７ｃは電圧印加により電流供給され、これらに接続される２系統の電線ａ‐１〜ａ‐２、ｂ‐１〜ｂ‐２、ｃ‐１〜ｃ‐２が信号ラインとなっている。電極ピン２０７ｄはグランドに接続され、これらに接続される２系統の電線ｄ‐１〜ｄ‐２がグランドラインとなっている。また、ここでも電極ピン２０７ａ〜２０７ｃは上述した機能の第１の導体、電極ピン２０７ｄは上述した機能の第２の導体とみなすことができる。因みに、電極ピン２０７ｄは３つ存在するように示しているが、実際は１本である。また、電極ピン２０７ｄは他の電極ピン２０７ａ〜２０７ｃよりも重力方向下側に位置しており、液体が増加していく際に初めに浸かる位置に配置されているものとする。
【００３５】
この液体検知装置においても、機能上、電極ピン２０７ａ〜２０７ｃ間に電圧印加した際に液体がこれらの電極ピン２０７ａ〜２０７ｃの場所にあった場合、電気的には電極ピン２０７ａ〜２０７ｃが電極ピン２０７ｄと接続される状態となる。図４（ａ）では電気的に接続された状態を電極ピン２０７ａ〜２０７ｃ間のスイッチがオンされた状態として説明する。
【００３６】
そして、制御回路２５０は、電極ピン２０７ａ〜２０７ｃ及び電極ピン２０７ｄに接続されると共に、オンされた状態の電極ピン２０７ａ〜２０７ｃの少なくとも１つから電極ピン２０７ｄへ流れる電流に基づいて液体の残量を検知する機能を持つ。また、制御回路２５０は、図４（ｂ）を参照すれば、機能ブロック上で液体の残量を検知する残量検知部２５０ａと、各電線の不良箇所を検知する不良箇所検知部２５０ｂと、を備える。
【００３７】
具体的に云えば、実施例１に係る液体検知装置は、回路接続構成上、電極ピン２０７ａ〜２０７ｄに接続される電線ａ‐１〜ａ‐２、ｂ‐１〜ｂ‐２、ｃ‐１〜ｃ‐２、ｄ‐１〜ｄ‐２について、ドロワコネクタ２５１を介在させて２系統にしている。即ち、電極ピン２０７ａには電線ａ‐１、ａ‐２を、電極ピン２０７ｂには電線ｂ‐１、ｂ‐２を、電極ピン２０７ｃには電線ｃ‐１、ｃ‐２を、電極ピン２０７ｄには電線ｄ‐１、ｄ‐２をそれぞれ並列接続している。
【００３８】
このため、制御回路２５０の残量検知部２５０ａは、例えば電線ａ‐１〜ａ‐２、ｂ‐１〜ｂ‐２、ｃ‐１〜ｃ‐２の‐１側又は‐２側がドロワコネクタ２５１の接触不良や断線により導通断の状態になったとしても、残量検知を行うことができる。即ち、複数の導体の一方が導通可能な状態であれば、他方が導通不能な状態であったとしても、液面センサ２０６は供給パン２０４内の液体の残量を検知することができる。この結果、電極ピン２０７ａ〜２０７ｃの電線ａ‐１〜ａ‐２、ｂ‐１〜ｂ‐２、ｃ‐１〜ｃ‐２の何れか（‐１側又は‐２側）と制御回路２５０との導通経路に接続不良が生じても液体の残量検知を継続できる機能が得られる。しかも各電線ａ‐１〜ａ‐２、ｂ‐１〜ｂ‐２、ｃ‐１〜ｃ‐２の何れか（‐１側又は‐２側）の接続不良による誤検知を抑制できるようになる。
【００３９】
また、制御回路２５０における不良箇所検知部２５０ｂは、例えば電極ピン２０７ａの電線ａ‐１、ａ‐２間で導通チェックをする機能を備える。この不良箇所検知部２５０ｂによれば、接続不良の有無を判定することができる。電極ピン２０７ｂの電線ｂ‐１、ｂ‐２間、電極ピン２０７ｃの電線ｃ‐１、ｃ‐２間についても同様に接続不良の有無を判定することができる。これは電線ａ‐１〜ａ‐２、ｂ‐１〜ｂ‐２、ｃ‐１〜ｃ‐２、ｄ‐１〜ｄ‐２のうち、第１の導体に接続される電線ａ‐１〜ａ‐２、ｂ‐１〜ｂ‐２、ｃ‐１〜ｃ‐２の対の組み合わせで導通結果を確認することで不良箇所の検知を行うことを示す。第１の導体は上述したように電極ピン２０７ａ、２０７ｂ、２０７ｃである。因みに、制御回路２５０における残量検知部２５０ａ、及び不良箇所検知部２５０ｂの機能は、論理回路等のハードウェアで実現する回路構成とすることが可能である。また、制御回路２５０は、ＣＰＵ等で構成されることを前提とし、残量検知部２５０ａ、及び不良箇所検知部２５０ｂの機能をＣＰＵ等が実行するソフトウェアで実現することも可能である。
【実施例２】
【００４０】
図５は、実施例２に係る液体検知装置の概略構成を示す図であり、同図（ａ）は回路接続構成を示す図、同図（ｂ）は同図（ａ）の回路接続構成の要部となる制御回路２５０の機能ブロック図である。図４（ａ）を参照すれば、この液体検知装置は、液面センサ２０６の電極ピン２０７ａ〜２０７ｄに対し、それぞれ３系統で並列接続された電線ａ‐１〜ａ‐３、ｂ‐１〜ｂ‐３、ｃ‐１〜ｃ‐３、ｄ‐１〜ｄ‐３をドロワコネクタ２５１を介して制御回路２５０に接続して構成される。換言すれば、制御回路２５０の基板ハーネスに接続されたそれぞれ３系統の電線ａ‐１〜ａ‐３、ｂ‐１〜ｂ‐３、ｃ‐１〜ｃ‐３、ｄ‐１〜ｄ‐３がドロワコネクタ２５１を通過して電極ピン２０７ａ〜２０７ｄに並列接続されている。
【００４１】
ここでも電極ピン２０７ａ〜２０７ｃは電圧印加により電流供給され、これらに接続される３系統の電線ａ‐１〜ａ‐３、ｂ‐１〜ｂ‐３、ｃ‐１〜ｃ‐３が信号ラインとなっている。電極ピン２０７ｄはグランドに接続され、これらに接続される３系統の電線ｄ‐１〜ｄ‐３がグランドラインとなっている。また、ここでも電極ピン２０７ａ〜２０７ｃは上述した機能の第１の導体、電極ピン２０７ｄは上述した機能の第２の導体とみなすことができる。電極ピン２０７ｄが実際には１本であり、その配置の前提は実施例１の場合と同様である。更に、図５（ｂ）を参照すれば、ここでも制御回路２５０が機能ブロック上で残量検知部２５０ａ及び不良箇所検知部２５０ｂを備える構成も同様である。
【００４２】
この液体検知装置においても、機能上、電極ピン２０７ａ〜２０７ｃ間に電圧印加した際に液体がこれらの電極ピン２０７ａ〜２０７ｃの場所にあった場合、電気的には電極ピン２０７ａ〜２０７ｃが電極ピン２０７ｄと接触される状態となる。図５（ａ）においても、電気的に接続された状態を電極ピン２０７ａ〜２０７ｃ間のスイッチがオンされた状態とみなすことができる。
【００４３】
具体的に云えば、実施例２に係る液体検知装置は、回路接続構成上、電極ピン２０７ａ〜２０７ｄに接続される電線ａ‐１〜ａ‐３、ｂ‐１〜ｂ‐３、ｃ‐１〜ｃ‐３、ｄ‐１〜ｄ‐３について、ドロワコネクタ２５１を介在させて３系統にしている。即ち、電極ピン２０７ａには電線ａ‐１、ａ‐２、ａ‐３を並列接続している。また、電極ピン２０７ｂには電線ｂ‐１、ｂ‐２、ｂ‐３を並列接続している。更に、電極ピン２０７ｃには電線ｃ‐１、ｃ‐２、ｃ‐３を並列接続している。加えて、電極ピン２０７ｄには電線ｄ‐１、ｄ‐２、ｄ‐３を並列接続している。
【００４４】
このため、制御回路２５０における残量検知部２５０ａの液体の残量検知時に例えば電線ａ‐１〜ａ‐３、ｂ‐１〜ｂ‐３、ｃ‐１〜ｃ‐３の‐１側、‐２側、‐３側の最大２つがドロワコネクタ２５１の接触不良や断線により導通断の状態になっても構わない。これらの１つに導通があれば液面センサ２０６の使用上の支障が回避される。この結果、電極ピン２０７ａ〜２０７ｃの電線ａ‐１〜ａ‐３、ｂ‐１〜ｂ‐３、ｃ‐１〜ｃ‐３の何れか（‐１側、‐２側、‐３側の最大２つ）と制御回路２５０との導通経路に接続不良が生じても液体の残量検知を継続できる機能が得られる。ここで残量検知を継続できる機能は実施例１の場合よりもずっと高められる。しかも各電線ａ‐１〜ａ‐３、ｂ‐１〜ｂ‐３、ｃ‐１〜ｃ‐３の何れか（‐１側、‐２側、‐３側の最大２つ）の接続不良による誤検知を抑制できるようになる。この誤検知を抑制できる効果も実施例１の場合よりもずっと高められる。
【００４５】
また、制御回路２５０における不良箇所検知部２５０ｂの不良箇所検知時には、例えば電極ピン２０７ａの電線ａ‐１、ａ‐２間、ａ‐１、ａ‐３間、ａ‐２、ａ‐３間で導通チェックをすれば、接続不良の有無を判定することができる。電極ピン２０７ｂの電線ｂ‐１、ｂ‐２、ｂ‐３間、電極ピン２０７ｃの電線ｃ‐１、ｃ‐２、ｃ‐３間についても同様に接続不良の有無を判定することができる。即ち、電極ピン２０７ｂについては電線ｂ‐１、ｂ‐２間、ｂ‐１、ｂ‐３間、ｂ‐２、ｂ‐３間で導通チェックをすれば良い。また、電極ピン２０７ｃについては電線ｃ‐１、ｃ‐２間、ｃ‐１、ｃ‐３間、ｃ‐２、ｃ‐３間で導通チェックをすれば良い。これは電線ａ‐１〜ａ‐３、ｂ‐１〜ｂ‐３、ｃ‐１〜ｃ‐３、ｄ‐１〜ｄ‐３のうち、第１の導体に接続される電線ａ‐１〜ａ‐３、ｂ‐１〜ｂ‐３、ｃ‐１〜ｃ‐３の異なる対の組み合わせで導通結果を確認することで不良箇所の検知を行うことを示す。第１の導体は上述したように電極ピン２０７ａ、２０７ｂ、２０７ｃである。因みに、この制御回路２５０における残量検知部２５０ａ、及び不良箇所検知部２５０ｂの機能も、論理回路等のハードウェアで実現する回路構成とすることが可能である。また、制御回路２５０は、ＣＰＵ等で構成されることを前提とし、残量検知部２５０ａ、及び不良箇所検知部２５０ｂの機能をＣＰＵ等が実行するソフトウェアで実現することも可能である。
【００４６】
尚、本発明は上述した各実施例に限定されず、その技術的要旨を逸脱しない範囲で種々の変形が可能であり、特許請求の範囲に記載された技術思想に含まれる技術的事項の全てが本発明の対象となる。上記各実施例は、好適な例を示したものであるが、当業者であれば、開示した内容から様々な変形例を実現することが可能であるが、これらは添付した特許請求の範囲に記載された技術的範囲に含まれる。例えば液体検知装置の回路接続構成上において、電極ピン設置数は変更可能であるし、これらと制御回路２５０とに接続される電線数についてもドロワコネクタを介在させて４系統以上にしても良い。
【００４７】
ところで、上述した各実施例に係る液体検知装置の技術的要旨は、液体検知方法として換言することができる。この液体検知方法は、第１の導体である電極ピン２０７ａ〜２０７ｃと、第２の導体である電極ピン２０７ｄと、残量検知部２５０ａ及び不良箇所検知部２５０ｂを具備した制御回路２５０と、を備えた液体検知装置で適用されることを前提とする。また、制御回路２５０が電極ピン２０７ａ〜２０７ｄとの間でそれぞれ複数の電線で並列接続されていることを前提とする。こうした前提で、係る液体検知方法は、残量検知部２５０ａが電極ピン２０７ａ〜２０７ｃの少なくとも１つから電極ピン２０７ｄへ流れる電流値から液体の残量の検知を行う残量検知ステップを有する。また、不良箇所検知部２５０ｂが電極ピン２０７ａ〜２０７ｄに接続される各電線のうち、電極ピン２０７ａ〜２０７ｃに接続される電線の対又は異なる対の組み合わせで導通結果を確認することで不良箇所の検知を行う不良箇所検知ステップを有するものとなる。
【００４８】
その他、制御回路２５０には、コンピュータが搭載され、液体検知用プログラムが実行される。制御回路２５０が備えるハードウェア資源と、これと協働するコンピュータプログラムである液体検知用プログラムにより実現される機能ブロックの一部が、上述した残量検知部２５０ａと不良箇所検知部２５０ｂとに相当する。また、液体検知用プログラムは、残量検知部２５０ａにおいて実行される上記残量検知ステップと、不良箇所検知部２５０ｂにおいて実行される上記不良箇所検知ステップと、を含み、これらのステップが実行されることで液体検知機能を発揮するものとなる。
【符号の説明】
【００４９】
２００  塗布部
２０１  塗布ローラ
２０２  スクイーズローラ
２０３  加圧ローラ
２０４  供給パン
２０６  液面センサ
２０７ａ〜２０７ｄ  電極ピン
２１０  残量検知センサ
２２１  廃液タンク
２２２  廃液ポンプ
２２３  ＥＭＰＴＹセンサ
２２５  退避経路
２２６、２３２、２３４、２３６、２３７  電磁弁
２２７  フィルタ
２２８  循環経路
２２９、２３８  カートリッジ
２３０  供給ポンプ
２３１  経路
２３３  三方弁
２３５  循環供給経路
２５０  制御回路
２５０ａ  残量検知部
２５０ｂ  不良箇所検知部
２５１  ドロワコネクタ
３００  液体検知装置
ａ‐１、ａ‐２、ａ‐３、ｂ‐１、ｂ‐２、ｂ‐３、ｃ‐１、ｃ‐２、ｃ‐３、ｄ‐１、ｄ‐２、ｄ‐３  電線
Ｃ  塗布装置
ＥＤＸ  外部乾燥装置
Ｐ  インクジェットプリンタ
ＲＷ  リワインダー
ＵＷ  アンワインダー
Ｗ  記録媒体
【先行技術文献】
【特許文献】
【００５０】
【特許文献１】特開２０１６‐０４５０８０号公報
【図１】
2019100972.tif 000003
【図２】
2019100972.tif 000004
【図３】
2019100972.tif 000005
【図４】
2019100972.tif 000006
【図５】
2019100972.tif 000007